(57)【要約】【課題】複雑な制御を必要とせずに、高圧側冷媒圧力を低下させることのできるヒートポンプシステムを提供する。【解決手段】冷媒を圧縮する圧縮機４と、圧縮機４からの冷媒を放熱させる放熱器５と、放熱器５からの冷媒を膨張させる膨張弁６と、膨張弁６からの冷媒を蒸発させる蒸発器７と、蒸発器７からの冷媒を加熱して圧縮機４へ供給する加熱器９と、圧縮機４、放熱器５、膨張弁６、蒸発器７及び加熱器９の順に冷媒を循環させる冷媒配管１０と、を備えている。【選択図】図１
2008180423.tif 000002
【特許請求の範囲】
【請求項１】
冷媒を圧縮する圧縮機と、
前記圧縮機からの冷媒を放熱させる放熱器と、
前記放熱器からの冷媒を膨張させる膨張弁と、
前記膨張弁からの冷媒を蒸発させる蒸発器と、
前記蒸発器からの冷媒を加熱して前記圧縮機へ供給する加熱器と、
前記圧縮機、放熱器、膨張弁、蒸発器及び加熱器の順に冷媒を循環させる冷媒配管と、
を備えたヒートポンプシステム。
【請求項２】
負荷側媒体を貯留するタンクと、
前記タンク内の負荷側媒体を前記放熱器における冷媒と熱交換させて前記タンク内に戻すよう循環させるための受熱用配管と、
前記タンク内の負荷側媒体を前記加熱器における冷媒と熱交換させて前記タンク内に戻すよう循環させるための放熱用配管と、
をさらに備えた、請求項１に記載のヒートポンプシステム。
【請求項３】
負荷側媒体を貯留するタンクと、
前記タンク内の負荷側媒体を、前記加熱器における冷媒と熱交換させた後に、前記放熱器における冷媒と熱交換させて前記タンク内に戻すよう循環させるための配管と、
をさらに備えた、請求項１に記載のヒートポンプシステム。
【請求項４】
冷媒として二酸化炭素を使用する、請求項１〜３のいずれかに記載のヒートポンプシステム。
【発明の詳細な説明】
【技術分野】
【０００１】
本発明は、ヒートポンプシステムに関するものである。
【背景技術】
【０００２】
従来、ヒートポンプの冷媒としてフロン系の冷媒が多く使用されてきたが、フロン系の冷媒はオゾン層破壊や地球温暖化などの問題を有しているため、これに代わる冷媒として環境負荷の小さく自然界に広く存在している自然冷媒に注目が集まっている。とくに二酸化炭素は毒性や可燃性が無いためにフロン系の冷媒の代替物として検討されているが、二酸化炭素をヒートポンプの冷媒として用いた場合、冷凍サイクル高圧側の圧力が高くなってしまうという問題がある。
【０００３】
このため、特許文献１に記載のヒートポンプシステムでは、圧縮機、放熱器、第１の膨張弁、補助熱交換機、第２の膨張弁、及び蒸発器を順次環状に接続した冷凍サイクルを備えており、第１の膨張弁の開度を制御して、高圧側冷媒圧力を低下させている。すなわち、冷媒状態が超臨界であるときは、冷媒の密度は圧力の上昇に応じて増加するので、第１の膨張弁の開度を大きくすることで、放熱器に存在する冷媒量を減少させて密度を低下させ、高圧側冷媒圧力を低下させている。
【特許文献１】特開２００５−３１５５５８号公報
【発明の開示】
【発明が解決しようとする課題】
【０００４】
しかしながら、特許文献１に記載のヒートポンプシステムでは、高圧側冷媒圧力を下げるための制御が複雑であり、その他のアプローチが要望されていた。
【０００５】
そこで、本発明は、複雑な制御を必要とせずに、高圧側冷媒圧力を低下させることのできるヒートポンプシステムを提供することを課題とする。
【課題を解決するための手段】
【０００６】
本発明に係るヒートポンプシステムは、上記課題を解決するためになされたものであり、冷媒を圧縮する圧縮機と、前記圧縮機からの冷媒を放熱させる放熱器と、前記放熱器からの冷媒を膨張させる膨張弁と、前記膨張弁からの冷媒を蒸発させる蒸発器と、前記蒸発器からの冷媒を加熱して前記圧縮機へ供給する加熱器と、前記圧縮機、放熱器、膨張弁、蒸発器及び加熱器の順に冷媒を循環させる冷媒配管と、を備えている。
【０００７】
このように本発明に係るヒートポンプシステムは、蒸発器と圧縮機との間に加熱器を設置しており、この加熱器により蒸発器からの冷媒を加熱している。よって、圧縮機に供給される冷媒は、その温度が高温となってエンタルピが増大するため、圧縮機で冷媒を圧縮させて所定温度まで上昇させる際、加熱器を設けていない場合に比べてより低い圧力であっても所定温度まで冷媒を上昇させることが可能となる。この結果、高圧側冷媒圧力を低下させることができ、低圧であっても高温の熱交換を行うことが可能となる。
【０００８】
上記ヒートポンプシステムの加熱器の熱源としては、種々のものを利用することができるが、例えば、以下のようにヒートポンプシステムを構成することで、加熱器の熱源を確保することができる。すなわち、負荷側媒体を貯留するタンクと、タンク内の負荷側媒体を放熱器における冷媒と熱交換させてタンク内に戻すよう循環させるための受熱用配管と、タンク内の負荷側媒体を加熱器における冷媒と熱交換させてタンク内に戻すよう循環させるための放熱用配管とを設けることができる。このように、タンク内に貯留された負荷側媒体は、受熱用配管を循環することで、放熱器における冷媒と熱交換されて加熱される。そして、この加熱されてタンク内に貯留している負荷側媒体は、放熱用配管を循環することで、加熱器の熱源として利用される。このため、別途熱源を必要とすることがなく、よりシンプルで効率の良いヒートポンプシステムとすることができる。
【０００９】
また、加熱器の熱源を確保するため、ヒートポンプシステムを次のような構成とすることもできる。すなわち、負荷側媒体を貯留するタンクと、タンク内の負荷側媒体を加熱器における冷媒と熱交換させた後に、放熱器における冷媒と熱交換させて前記タンク内に戻すよう循環させるための配管と、を備えていてもよい。このように構成することで、上述したように別途熱源を必要とすることがないだけでなく、以下のような効果を得ることができる。すなわち、負荷側媒体を一旦加熱器における冷媒と熱交換することで負荷側媒体は冷却するため、放熱器における冷媒は、この冷却された負荷側媒体と熱交換する。よって、放熱器を通過した冷媒はより低い温度となる、つまり、負荷側媒体に与える熱量がより大きくなるため、良好な成績係数を得ることができる。また、負荷側媒体を循環させるための配管が一つで足りるので、低コスト化を図ることができる。
【００１０】
また、冷媒としては、毒性や可燃性が無く、安価に入手することのできる二酸化炭素を使用することが好ましい。
【発明の効果】
【００１１】
本発明によれば、複雑な制御を必要とせずに、高圧側冷媒圧力を低下させることのできるヒートポンプシステムを提供することができる。
【発明を実施するための最良の形態】
【００１２】
（第１実施形態）
以下、本発明に係るヒートポンプシステムの第１実施形態を添付図面に従って説明する。図１は、第１実施形態に係るヒートポンプシステム１の回路図である。
【００１３】
図１に示すように、ヒートポンプシステム１は、冷媒回路２と給湯回路３を備えている。冷媒回路２は、冷媒が通過する環状の冷媒配管１０を備えており、この冷媒配管１０に、圧縮機４、放熱器５、膨張弁６、蒸発器７、及び加熱器９がこの順で接続されている。圧縮機４は冷媒を圧縮するためのものであり、この圧縮機４から吐出された冷媒を放熱器５にて放熱し、放熱器５から送られてきた冷媒を膨張弁６によって減圧させている。また、膨張弁６により減圧された冷媒は蒸発器７によって蒸発し、蒸発器７で蒸発して飽和蒸気となった冷媒は加熱器９によってさらに加熱される。なお、この冷媒回路２の冷媒としては二酸化炭素が使用されている。
【００１４】
また、給湯回路３は、上記冷媒回路２によって加熱された負荷側媒体を風呂や台所の給湯のために提供するものであって、上記冷媒回路２とは独立した回路として構成されており、負荷側媒体を貯留するタンク１１と、タンク１１内の負荷側媒体を放熱器５における冷媒と熱交換させるための受熱用配管１２と、タンク１１内の負荷側媒体を加熱器９における冷媒と熱交換させるための放熱用配管１３とを有している。なお、給湯回路３の負荷側媒体は湯（水）である。
【００１５】
次に、冷媒回路２の構成部品について順に説明する。圧縮機４は、駆動装置（図示省略）によって駆動され、吸引した冷媒を圧縮して高温とし、放熱器５側へ冷媒を吐出するように構成されている。
【００１６】
放熱器５は、上記圧縮機４によって圧縮されて高温となった冷媒を放熱させるためのものであり、その内部を流れる高温の冷媒を、給湯回路３の受熱用配管１２内を流れる負荷側媒体と熱交換させている。放熱器５内を流れる冷媒と受熱用配管１２内を流れる負荷側媒体とは種々の方法で熱交換することができるが、例えば、放熱器５と対応する位置にある受熱用配管１２の内部を放熱器５が延びる二重管式熱交換器を構成することによって、冷媒と負荷側媒体とを熱交換させることができる。なお、放熱器５内の冷媒と、受熱用配管１２内の負荷側媒体とは、対向する方向に流れている。
【００１７】
膨張弁６は、絞り膨張によって冷媒を低圧・低温にさせるよう構成されており、手動膨張弁，定圧膨張弁，温度自動膨張弁，キャピラリーチューブ，フロート膨張弁，電子膨張弁など種々の膨張弁を使用することができる。
【００１８】
蒸発器７は、冷媒と外気とを熱交換させることによって冷媒に熱を与えて蒸発させる。なお、蒸発器７にはファン８が近接して設けられており、そのファン８からの送風を受けることで、効率よく外気と冷媒とが熱交換する。
【００１９】
加熱器９は、放熱用配管１３内を流れる負荷側媒体を熱源としており、加熱器９内の冷媒を、放熱用配管１３内の負荷側媒体と熱交換させることで、冷媒を加熱してその温度を上昇させている。
【００２０】
続いて、給湯回路３の構成部品について説明する。まず、タンク１１は、負荷側媒体を貯留するように構成されており、断熱性の材料で構成されていることが好ましい。
【００２１】
受熱用配管１２は、タンク１１から放熱器５まで延びる負荷側媒体の往路部１２ａと、放熱器５の冷媒と熱交換した負荷側媒体がタンク１１に戻るよう放熱器５からタンク１１まで延びる負荷側媒体の復路部１２ｂとから構成されている。なお、受熱用配管１２の往路部１２ａには、負荷側媒体を循環させるためのポンプ１４が設置されている。また、放熱用配管１３は、タンク１１から加熱器９まで延びる負荷側媒体の往路部１３ａと、加熱器９によって冷媒と熱交換した負荷側媒体がタンク１１に戻るよう加熱器９からタンク１１まで延びる負荷側媒体の復路部１３ｂとから構成されている。そして、受熱用配管１２と同様に、放熱用配管１３の往路部１３ａには、負荷側媒体を循環させるためのポンプ１５が設置されている。
【００２２】
次に上記のように構成されたヒートポンプシステムの動作について図１及び図２を参照しつつ説明する。図２は、冷媒回路を循環する冷媒のモリエル線図である。
【００２３】
まず、冷媒回路２を中心に説明すると、図１に示すように、圧縮機４によって冷媒を圧縮して高圧にすることで冷媒の温度を上昇させる。圧縮機４により高温となった冷媒は、放熱器５によって放熱することで受熱用配管１２内を循環する負荷側媒体と熱交換して負荷側媒体を加熱し、冷媒自体は温度が低下する。
【００２４】
放熱器５で放熱した冷媒は、膨張弁６で急激に圧力が下がることでさらに温度が低下し、湿り蒸気となる。この湿り蒸気となった冷媒は、蒸発器７でファン８から送られる大気と熱交換することで大気から熱を受け取り飽和蒸気となる。続いて、冷媒は、加熱器９にて放熱用配管１３内を循環する負荷側媒体と熱交換して負荷側媒体から熱を受け取って加熱されることにより、過熱蒸気となって温度が上昇する。そして加熱器９にて温度が上昇した冷媒は、圧縮機４に送られて、再度上記工程を繰り返すように冷媒回路２を循環する。
【００２５】
また、給湯回路３を中心に説明すると、まず、ポンプ１４を作動させることでタンク１１内の負荷側媒体を受熱用配管１２内で循環させる。受熱用配管１２内を循環する負荷側媒体は、放熱器５に対応する位置で放熱器５における冷媒と熱交換する。放熱器５における冷媒は圧縮機４によって圧縮されることで高温となっているため、負荷側媒体は冷媒によって加熱されて温度が上昇する。このように高温となった負荷側媒体はタンク１１内に戻り、タンク１１内の負荷側媒体の温度は上昇する。そして、タンク１１内で温度が上昇した湯は、風呂や台所の給湯に利用される。
【００２６】
また、ポンプ１４と同時に、ポンプ１５を作動させることでタンク１１内の負荷側媒体を放熱用配管１３内で循環させる。放熱用配管１３内を循環する負荷側媒体は、加熱器９に対応する位置で加熱器９における冷媒と熱交換する。ここでは、加熱器９における冷媒よりも放熱用配管１３内を循環する負荷側媒体の方が温度が高いため、負荷側媒体が冷媒を加熱して冷媒の温度を上昇させる。このように、放熱用配管１３内を循環する負荷側媒体は、加熱器９の熱源として利用される。
【００２７】
以上の給湯回路３での工程では、受熱用配管１２を循環する負荷側媒体は温度が上昇し、放熱用配管１３を循環する負荷側媒体は温度が低下するが、受熱用配管１２を循環する負荷側媒体が受け取る熱量の方が放熱用配管１３を循環する負荷側媒体が放出する熱量よりも大きいため、上記工程を繰り返すことによって、タンク１１内の負荷側媒体の温度は徐々に上昇する。
【００２８】
以上の冷媒の変化を図２のモリエル線図に基づいて説明すると、まず冷媒は、圧縮機４によって圧縮されて高温・高圧となり、点Ｅの状態から点Ａの状態へ等エントロピ変化する。次に、放熱器５によって冷媒は放熱されて温度が低下し、点Ａの状態から点Ｂの状態に等圧変化する。続いて冷媒は、膨張弁６で低圧・低温となって湿り蒸気となり、点Ｂの状態から点Ｃの状態へ等エンタルピ変化する。そして、湿り蒸気となった冷媒は、蒸発器７で大気と熱交換して飽和蒸気となり、点Ｃの状態から点Ｄの状態に等圧変化する。続いて飽和蒸気となった冷媒は、加熱器９で加熱されることで過熱蒸気となって温度が上昇し、点Ｄの状態から点Ｅの状態に等圧変化する。以上の変化を繰り返して冷媒は負荷側媒体を加熱する。
【００２９】
以上のように、第１実施形態によれば、蒸発器７と圧縮機４との間に加熱器９を設置し、この加熱器９によって冷媒の温度を上昇させてから圧縮機４に送るように構成している。このため、図２に示すように、例えば、タンク１１内の負荷側媒体の温度が６０℃であって、この６０℃の負荷側媒体を加熱するため、放熱器５に送る冷媒の温度を１２０℃とする場合について、第１実施形態に係るヒートポンプシステム１と、加熱器９を設けていないヒートポンプシステムとを比較すると以下の効果を得ることができる。すなわち、加熱器９を設けていないヒートポンプシステムにおける冷媒の変化は、図２の破線で示される点Ｄ→Ａ’→Ｂ’→Ｃ’→Ｄの軌跡を描くため、圧縮機４に送られる前の冷媒は点Ｄの状態にある。この点Ｄの状態から冷媒の温度を１２０℃まで上昇させるには、例えば、圧縮機４によって冷媒の圧力がＰ１となるまで圧縮する必要がある。これに対して、上記第１実施形態に係るヒートポンプシステム１では、点Ｄの状態から冷媒を加熱器９によってさらに加熱して温度を上昇させエンタルピを増大させて、点Ｅの状態まで変化させている。このため、圧縮機９で冷媒の圧力がＰ２（＜Ｐ１）となるまで圧縮させるだけで冷媒の温度を１２０℃まで上昇させることができる。このように、加熱器９を設けて圧縮機４へ送る前の冷媒の温度を上昇させることで、高圧側冷媒圧力を下げることができる。また、このように低圧であっても冷媒の温度を１２０℃とすることができ、この１２０℃の冷媒によって、６０℃である高温の負荷側媒体を加熱してさらに温度を上昇させて高温とすることが可能となる。
【００３０】
（第２実施形態）
次に本発明に係るヒートポンプシステムの第２実施形態を図３及び図４を参照しつつ説明する。図３は第２実施形態に係るヒートポンプシステムの回路図、図４は第２実施形態に係るヒートポンプシステムの冷媒回路における冷媒のモリエル線図である。第２実施形態に係るヒートポンプシステム１’が第１実施形態に係るヒートポンプシステム１と大きく相違する点は給湯回路３の配管が一つである点であり、その他の構成は第１実施形態と同じであるので、以下では第１実施形態と同一の構成には同一符号を付して説明を省略する。
【００３１】
まず図３に示すように、第２実施形態に係るヒートポンプシステム１’は、冷媒回路２と給湯回路３’とを備えている。冷媒回路２は、上記第１実施形態と同一の構成となっており、圧縮機４、放熱器５，膨張弁６、蒸発器７、及び加熱器９を冷媒配管１０によってこの順で環状に接続している。そして、この冷媒回路２を冷媒である二酸化炭素が循環している。
【００３２】
給湯回路３’は、負荷側媒体を貯留するタンク１１と、タンク１１内の負荷側媒体を加熱器９における冷媒と熱交換させつつ、その後に放熱器５における冷媒と熱交換させるための配管１６とを備えている。
【００３３】
このように、負荷側媒体を循環させる配管１６は、上記第１実施形態と異なり、受熱用配管と放熱用配管とに分かれていない。すなわち、配管１６は、タンク１１から加熱器９まで延びる往路部１６ａと、加熱器９から放熱器２まで延びる中間部１６ｂと、この放熱器２からタンク１１まで戻るよう放熱器２からタンク１１まで延びる復路部１６ｃとから構成されている。なお、配管１６の往路部１６ａには、その配管１６内に負荷側媒体を循環させるためのポンプ１７が設置されている。
【００３４】
このように構成されたヒートポンプシステム１’の動作について、図３及び図４を参照しつつ説明する。
【００３５】
まず、冷媒回路２を中心に説明すると、図３に示すように、上記第１実施形態と同様に、圧縮機４によって冷媒を圧縮して高圧にすることで冷媒の温度を上昇させる。圧縮機４により高温となった冷媒は放熱器５によって放熱することで、配管１６内を循環する負荷側媒体と熱交換して負荷側媒体を加熱し、冷媒自体は温度が低下する。
【００３６】
放熱器５で放熱した冷媒は、膨張弁６で急激に圧力が下がることでさらに温度が低下し湿り蒸気となる。この湿り蒸気となった冷媒は、蒸発器７でファン８から送られる大気と熱交換することで大気から熱を受け取り飽和蒸気となる。続いて、冷媒は、加熱器９にて、配管１６内を循環する負荷側媒体と熱交換して負荷側媒体から熱を受け取って加熱されることで、過熱蒸気となって温度が上昇する。そして加熱器９にて温度が上昇した冷媒は、圧縮機４に送られて、再度上記工程を繰り返すように冷媒回路２内を循環する。
【００３７】
また給湯回路３’を中心に説明すると、まず、ポンプ１７を作動させることで、タンク１１内の負荷側媒体を配管１６内で循環させる。配管１６内を循環する負荷側媒体は、加熱器９と対応する位置で加熱器９における冷媒と熱交換する。ここでは、加熱器９における冷媒の方が負荷側媒体よりも温度が低いので、負荷側媒体は加熱器９における冷媒に熱を与えて加熱し、負荷側媒体自体は熱を奪われて温度が低下する。このように冷媒を加熱することによって低温となった負荷側媒体は、さらに配管１６内を進み、放熱器５と対応する位置で放熱器５における冷媒と熱交換する。加熱器５における冷媒は圧縮機４にて圧縮されて高温となっており負荷側媒体よりも温度が高いため、放熱器５と対応する位置では、負荷側媒体は放熱器５における冷媒から熱を受け取り加熱されて、温度が上昇する。このように放熱器５における冷媒から熱を受け取り高温となった負荷側冷媒は最終的にタンク１１内に戻り、タンク１１内の負荷側媒体の温度を上昇させる。この工程を繰り返すことで、タンク１１内の負荷側媒体は徐々に温度が上昇する。
【００３８】
以上の冷媒の変化を図４のモリエル線図に基づいて説明すると、まず冷媒は、圧縮機４によって圧縮されて高温・高圧となり、点Ｊの状態から点Ｆの状態へ等エントロピ変化する。次に冷媒は、放熱器５によって放熱されて温度が低下し、点Ｆの状態から点Ｇの状態に等圧変化する。続いて、膨張弁６で冷媒は低圧・低温となって湿り蒸気となり、点Ｇの状態から点Ｈの状態へ等エンタルピ変化する。そして、湿り蒸気となった冷媒は、蒸発器７で大気と熱交換して飽和蒸気となり、点Ｈの状態から点Ｉの状態に等圧変化する。飽和蒸気となった冷媒は、加熱器９によって加熱されることで過熱蒸気となって温度が上昇し、点Ｉの状態から点Ｊの状態へと等圧変化する。以上の変化を繰り返して冷媒は負荷側媒体を加熱する。
【００３９】
以上のように、第２実施形態によれば、上記第１実施形態と同様の効果を得られる他に、以下のような効果を得ることもできる。例えば、タンク１１内の負荷側媒体の温度が６０℃であって、この６０℃の負荷側媒体を放熱器５において１２０℃の冷媒で加熱する場合について説明する。まず、加熱器９を設けていない場合では、放熱器５で６０℃の負荷側媒体と熱交換した冷媒は、１２０℃から６０℃まで温度が低下し、冷媒の状態は図４に示すように点Ｆ’から点Ｇ’へと等圧変化する。なお、加熱器９を設けていないヒートポンプシステムにおける冷媒の変化は図４の点線で示された点Ｉ→Ｆ’→Ｇ’→Ｈ’→Ｉの軌跡を描く。これに対して、第２実施形態に係るヒートポンプシステム１’では、負荷側媒体は、放熱器５で加熱される前に加熱器９における冷媒と熱交換しており、その温度は６０℃から例えば２０℃まで温度が低下している。このため、放熱器５で負荷側媒体と熱交換した冷媒は、１２０℃から２０℃まで温度が低下し、冷媒の状態は図４に示すように点Ｆから点Ｇへと等圧変化する。このように、圧縮器４の仕事の差に比べて、冷媒が負荷側媒体に与える熱量の差が大きく、その熱量は図４から分かるように実線で示された第２実施形態に係るヒートポンプシステム１’の方が大きいため、ヒートポンプシステムの成績係数は第２実施形態に係るヒートポンプシステム１’の方が良好である。
【００４０】
また、第２実施形態に係るヒートポンプシステム１’では、負荷側媒体を循環させるための配管やポンプが１つで済むため、構造を簡素化することができ、低コスト化を図ることが可能である。
【００４１】
以上、本発明の実施形態について説明したが、本発明はこれらに限定されるものではなく、本発明の趣旨を逸脱しない限りにおいて種々の変更が可能である。例えば、上記実施形態では、負荷側媒体として加熱されるのは、湯（水）としているが、これに限定されるものではなく、種々の液体や気体などであってもよく、冷媒も二酸化炭素に限定されず、その他の自然冷媒を用いることもできる。
【００４２】
また、上記実施形態では、放熱器５を流れる冷媒と受熱用配管１２を流れる負荷側媒体との熱交換の方法として、二重管式熱交換器を構成することを挙げたが、特にこれに限定されるものではなく、多管円筒形熱交換器やプレート式熱交換器などのような種々の熱交換器とすることもできる。
【００４３】
また、上記実施形態では、加熱器９の熱源として給湯回路３内の負荷側媒体を用いているが、これに限定されるものではなく、別途設けられた公知の熱源によって冷媒を加熱することもできる。
【００４４】
また、より効率良くヒートポンプシステムを作動させるために、各構成部品の前後に圧力センサや温度センサを設置して各構成部品を制御することができ、例えば、加熱器９と圧縮機４との間に冷媒温度センサ１０を設置することができる。このように冷媒温度センサ１０を設置することによって、冷媒温度センサ１０によって測定された冷媒の温度に基づいて、圧縮機４の仕事量を調節したり、加熱器９へ流れる負荷側媒体の流量を調節したりしてもよい。
【図面の簡単な説明】
【００４５】
【図１】本発明に係るヒートポンプシステムの第１実施形態を示す回路図である。
【図２】第１実施形態に係るヒートポンプシステムの冷媒の状態を示すモリエル線図である。
【図３】本発明に係るヒートポンプシステムの第２実施形態を示す回路図である。
【図４】第２実施形態に係るヒートポンプシステムの冷媒の状態を示すモリエル線図である。
【符号の説明】
【００４６】
１  ヒートポンプシステム
４  圧縮機
５  放熱器
６  膨張弁
７  蒸発器
９  加熱器
１１  タンク
１２  受熱用配管
１３  放熱用配管
１６  配管
【図１】
2008180423.tif 000003
【図２】
2008180423.tif 000004
【図３】
2008180423.tif 000005
【図４】
2008180423.tif 000006